(57)【要約】【課題】プロジェクター本体部を大きくすることなく、ユーザーの用途に合わせた拡張機能を搭載できるプロジェクターを提供する。【解決手段】プロジェクター本体部１の画像入力端子６を覆うように装着され、拡張ユニット収納部４５にプロジェクター１００の機能を拡張する１つ以上の拡張ユニット４６を搭載し、拡張制御手段４１はプロジェクター本体部の制御手段２０の指示に基づき、拡張ユニット４６の動作を制御する。【選択図】図４
2014102314.tif 000002
【特許請求の範囲】
【請求項１】
画像信号が入力される画像入力端子と、前記画像入力端子より入力された前記画像信号を画像として投写する画像投写手段と、これらを収容する筐体と、を有するプロジェクター本体部の、前記画像入力端子を覆うように前記プロジェクター本体部に装着されることにより前記プロジェクター本体部と共にプロジェクターを構成する入力端子カバーであって、
前記プロジェクター本体部と通信を行う通信手段と、
前記プロジェクターの機能を拡張する１つ以上の拡張ユニットを収納するための拡張ユニット収納部と、
前記拡張ユニット収納部に収納されている前記拡張ユニットを検出する拡張検出手段と、
前記拡張検出手段の検出結果に基づき、いずれの拡張ユニットが搭載されているかを前記プロジェクター本体部に通知し、前記プロジェクター本体部からの指示に基づき、前記拡張ユニットの動作を制御する、拡張制御手段と、
を備えたことを特徴とする、入力端子カバー。
【請求項２】
請求項１に記載の入力端子カバーであって、
前記拡張ユニット収納部は、１つ以上の前記拡張ユニットを選択的に収納可能であり、
前記拡張ユニットを動作させるための動作情報を記憶する拡張記憶手段をさらに備え、
前記拡張制御手段は、前記拡張記憶手段に記憶された前記動作情報に従って、前記拡張ユニットを動作させる、
ことを特徴とする、入力端子カバー。
【請求項３】
請求項１または２に記載の入力端子カバーであって、
前記拡張ユニットは、前記プロジェクターの状態を報知する報知手段である、
ことを特徴とする、入力端子カバー。
【請求項４】
請求項１から３のいずれか一項に記載の入力端子カバーであって、
前記拡張ユニットは、前記プロジェクターの近傍を照らす照明手段である、
ことを特徴とする、入力端子カバー。
【請求項５】
請求項１から４のいずれか一項に記載の入力端子カバーであって、
前記拡張ユニットは、前記プロジェクターの予備光源である、
ことを特徴とする、入力端子カバー。
【請求項６】
画像を投写するプロジェクターであって、
画像信号が入力される画像入力端子と、前記画像入力端子より入力された前記画像信号を画像として投写する画像投写手段と、入力操作を受け付ける入力操作手段と、前記入力操作手段が受け付けた前記入力操作に基づき動作する制御手段と、これらを収容する筐体と、を有するプロジェクター本体部と、
請求項１から５のいずれか一項に記載の入力端子カバーと、を備え、
前記制御手段は前記入力操作手段が受け付けた前記入力操作に基づき、前記入力端子カバーの前記拡張制御手段に前記拡張ユニットの動作を指示することを特徴とする、プロジェクター。
【発明の詳細な説明】
【技術分野】
【０００１】
本発明は、プロジェクター本体部に装着される入力端子カバー、および入力端子カバーを備えたプロジェクターに関する。
【背景技術】
【０００２】
画像を投写するプロジェクターを天吊り設置状態で使用する場合、プロジェクターの状態を表示するＬＥＤ（Light Emitting Diode）などのインジケーターが小さくて見にくく、ユーザーのリモコン操作に応答したのかわかりにくいことがあった。また、プロジェクターを天吊り設置して使用する場合、プロジェクターが照明の陰になり、プロジェクターの下にいるユーザーの周辺が暗くなってしまうという問題があった。この問題を解決するために特許文献１のように、照明装置吊下用の天井ローゼットに取り付けられるプロジェクターが開示されている。
【先行技術文献】
【特許文献】
【０００３】
【特許文献１】特開２００４−１８４７６８号公報
【発明の概要】
【発明が解決しようとする課題】
【０００４】
インジケーターが見にくいという問題に対して、インジケーターを大きく、明るくすると、天吊り設置状態では見やすくなるが、プロジェクター本体が大きくなる上、机上設置した場合にはインジケーターが眩しすぎてしまう。また、プロジェクターの下が暗くなるという問題に対して、特許文献１のプロジェクターではプロジェクターの下は明るくなるものの、照明装置用のローゼットを備えることで設置場所が限られる上、プロジェクター本体が大きくなってしまう。つまり、これら大型インジケーターや照明装置などの拡張機能をプロジェクター本体に備えた場合、その機能を使用しない使用者にとっては不要な機能でありながらプロジェクターが大きくなり、コストアップになってしまうという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る入力端子カバーは、画像信号が入力される画像入力端子と、前記画像入力端子より入力される画像投写手段と、これらを収容する筐体を有するプロジェクター本体部の、前記画像入力端子を覆うように前記プロジェクター本体部に装着される入力端子カバーであって、前記プロジェクター本体部と通信を行う通信手段と、前記プロジェクターの機能を拡張する１つ以上の拡張ユニットを収納するための拡張ユニット収納部と、前記拡張ユニット収納部に収納されている前記拡張ユニットを検出する拡張検出手段と、前記拡張検出手段の検出結果に基づき、いずれの拡張ユニットが搭載されているかを前記プロジェクター本体部に通知し、前記プロジェクター本体部からの指示に基づき、前記拡張ユニットの動作を制御する、拡張制御手段と、を備えたことを特徴とする。
【０００７】
本適用例によれば、画像入力端子を覆うように装着される入力端子カバーに、プロジェクターの機能を拡張する拡張ユニットを備え、プロジェクター本体部からの指示に基づき、拡張ユニットの動作が制御されるので、プロジェクター本体部を大きくすることなく、プロジェクターの機能が拡張され、天吊設置時に画像入力端子周辺に埃が堆積するのを防止することが可能となる。
【０００８】
［適用例２］上記適用例に記載の入力端子カバーにおいて、前記拡張ユニット収納部は、１つ以上の前記拡張ユニットを選択的に収納可能であり、前記拡張ユニットを動作させるための動作情報を記憶する拡張記憶手段をさらに備え、前記拡張制御手段は、前記拡張記憶手段に記憶された前記動作情報に従って、前記拡張ユニットを動作させる、ことを特徴とする。
【０００９】
本適用例によれば、入力端子カバーは、入力端子カバー内の拡張ユニット収納部に拡張ユニットを選択的に収納し、収納した拡張ユニットを動作させる動作情報を備える。これにより、プロジェクター本体部に機能を追加することなく、ユーザーの用途に合わせた拡張機能に対応した拡張ユニットが入力端子カバーに収納され、プロジェクター本体部からの指示により当該拡張機能を動作させることが可能となる。
【００１０】
［適用例３］上記適用例に記載の入力端子カバーにおいて、前記拡張ユニットは、前記プロジェクターの状態を報知する報知手段であることを特徴とする。
【００１１】
本適用例によれば、入力端子カバーに拡張ユニットとして搭載された報知手段により、プロジェクターの状態をより詳細にユーザーに報知することが可能となる。
【００１２】
［適用例４］上記適用例に記載の入力端子カバーにおいて、前記拡張ユニットは、前記プロジェクターの近傍を照らす照明手段であることを特徴とする。
【００１３】
本適用例によれば、入力端子カバーに拡張ユニットとして搭載された照明手段により、プロジェクターの近傍を照らすので、プロジェクターを天吊設置したときに、プロジェクターの下で影になってしまうユーザー周辺を照らすことが可能となる。
【００１４】
［適用例５］上記適用例に記載の入力端子カバーにおいて、前記拡張ユニットは、前記プロジェクターの予備光源であることを特徴とする。
【００１５】
本適用例によれば、入力端子カバーに拡張ユニットとしてプロジェクターの予備光源を備えることにより、プロジェクターの光源が寿命時間に到達した場合に予備光源にすぐに交換することが可能となる。
【００１６】
［適用例６］本適用例に係るプロジェクターは、画像を投写するプロジェクターであって、画像信号が入力される画像入力端子と、前記画像入力端子より入力された前記画像信号を画像として投写する画像投写手段と、入力操作を受け付ける入力操作手段と、前記入力操作手段が受け付けた前記入力操作に基づき動作する制御手段と、これらを収容する筐体と、を有するプロジェクター本体部と、上記適用例に記載の入力端子カバーと、を備え、前記制御手段は前記入力操作手段が受け付けた前記入力操作に基づき、前記入力端子カバーの前記拡張制御手段に前記拡張ユニットの動作を指示することを特徴とする。
【００１７】
本適用例によれば、画像入力端子を覆うように装着される入力端子カバーに、プロジェクターの機能を拡張する拡張ユニットを備え、プロジェクター本体部の指示に基づき、拡張ユニットの動作を制御するので、プロジェクター本体部を大きくすることなく、プロジェクターの機能を拡張し、天吊設置時に画像入力端子周辺に埃が堆積するのを防止することが可能となる。
【図面の簡単な説明】
【００１８】
【図１】プロジェクターを天吊り状態で上から見た斜視図。
【図２】入力端子カバーをプロジェクター本体部への装着側からみた斜視図。
【図３】入力端子カバーを側面から見た図。
【図４】プロジェクターを天吊り状態で下から見た図。
【図５】プロジェクターの回路構成を示すブロック図。
【図６】プロジェクターの動作を示すフローチャート。
【図７】入力端子カバーの動作を示すフローチャート。
【図８】光源寿命到達時の通知メッセージ。
【発明を実施するための形態】
【００１９】
以下、図面を参照して本発明の一実施形態である入力端子カバーを備えたプロジェクターについて説明するが、以下の実施形態は特許請求の範囲にかかる発明を限定するものではなく、また、実施形態における特徴の組み合わせの全てが発明の解決手段に必須であるとは限らない。
【００２０】
（第１実施形態）
図１は本実施形態のプロジェクター１００の斜視図であり、天吊り状態で上から見た様子を示す図である。
図１に示すように、プロジェクター１００はプロジェクター本体部１と、プロジェクター本体部１に配置された画像入力端子６を覆うように装着される入力端子カバー４０で構成される。プロジェクター１００は天吊装置Ｔ１により天井に設置され、プロジェクター本体部１と入力端子カバー４０は接続ケーブルＣＡ１で電気的に接続される。入力端子カバー４０には複数の拡張ユニット４６が搭載され、入力端子カバー４０の筐体の上面には、画像入力端子６に画像信号を入力するための信号ケーブルＣＡ２（図３参照）を通すため、ケーブルガイド部４０Ａが形成されている。
図１に示すように、プロジェクター本体部１に入力端子カバー４０を装着することにより、プロジェクター本体部１の画像入力端子６の配置された面がカバーされるため、画像入力端子６の周辺に埃が堆積するのを防止することができる。
入力端子カバー４０は、図示しない取り付け機構により、プロジェクター本体部１に装着するようになっている。
【００２１】
図２は本実施形態の入力端子カバー４０の斜視図であり、プロジェクター本体部１への装着側から見た様子を示す図である。
図２に示すように、入力端子カバー４０には拡張ユニット収納部４５が備えられ、複数の拡張ユニット４６が選択的に収納可能となっている。拡張ユニット４６は図２の矢印の方向に脱着できるようになっている。入力端子カバー４０の筐体の内部には拡張制御手段４１が備えられ、接続ケーブルＣＡ１を介してプロジェクター本体部１と通信を行うように構成されている。
【００２２】
図３は本実施形態の入力端子カバー４０の側面図であり、プロジェクター本体部１と接続した様子を示す図である。
図３に示すように、入力端子カバー４０のケーブルガイド部４０Ａを通って信号ケーブルＣＡ２が画像入力端子６に接続される。入力端子カバー４０の筐体の内側、拡張ユニット収納部４５近傍には拡張ユニット４６を検出する拡張検出手段４２が備えられ、いずれの拡張ユニット４６が装着されているかを検出できるようになっている。入力端子カバー４０の筐体の内側には接続ケーブルＣＡ１を介してプロジェクター本体部１と通信する拡張通信手段４４が備えられる。
【００２３】
図４はプロジェクター１００の斜視図であり、天吊りされている状態を下から見た様子を示す図である。
図４では拡張ユニット４６として、拡張報知手段４６Ａ、簡易照明手段４６Ｂ、および予備光源４６Ｃが搭載されている状態を示す。図４に示すように、入力端子カバー４０の筐体の下面には、各拡張ユニット４６に応じた窓部が形成されており、拡張報知手段４６Ａの報知ＬＥＤ４６ｐと、簡易照明手段４６Ｂの照明ＬＥＤ４６ｑがそれぞれ露出している。なお、拡張報知手段４６Ａ、簡易照明手段４６Ｂがそれぞれ報知手段、照明手段に相当する。
【００２４】
拡張報知手段４６Ａは、プロジェクター１００（具体的にはプロジェクター本体部１）の各種状態を報知するものである。拡張制御手段４１は拡張通信手段４４を介してプロジェクター１００の各状態を受信すると、報知ＬＥＤ４６ｐに、受信したプロジェクター１００の各状態に応じた報知を実行させる。報知の種類としてはスタンバイ状態、電源オン状態、各種エラー状態などがあり、報知ＬＥＤ４６ｐの点灯パターンにより報知する。報知ＬＥＤ４６ｐは視認性を高めるために大きなものを搭載してもよく、また拡張報知手段４６Ａは報知ＬＥＤ４６ｐの他にスピーカー、ブザーなどを備えてもよい。拡張報知手段４６Ａの報知パターンは、後述する、入力端子カバー４０の動作情報４３１に記憶される。
【００２５】
簡易照明手段４６Ｂはプロジェクター１００を天吊り設置したとき、その近傍や下方を照らすものであり、照明ＬＥＤ４６ｑを備えている。拡張制御手段４１は、拡張通信手段４４を介してプロジェクター本体部１より簡易照明のオン・オフコマンドを受け付けると、照明ＬＥＤ４６ｑの点灯、または消灯を切り替える。
【００２６】
予備光源４６Ｃは、プロジェクター本体部１の光源１１（図５参照）の予備用の光源であり、光源１１が寿命に到達するか、また故障したときの交換用として使用される。拡張制御手段４１は、拡張ユニット収納部４５に予備光源４６Ｃが収納されているか否かの情報を取得し、プロジェクター本体部１に通知する。プロジェクター本体部１は光源１１が寿命時間に到達した場合、または故障した場合において、入力端子カバー４０に予備光源４６Ｃが搭載されているときに、ユーザーに予備光源４６Ｃとの交換を促すことができる。
【００２７】
図５は本実施形態のプロジェクター１００の回路構成を示すブロック図である。
図５に示すように、プロジェクター１００は、プロジェクター本体部１と入力端子カバー４０を含んで構成されている。
プロジェクター本体部１は、画像入力端子６、画像投写手段１０、ＯＳＤ処理手段１６、画像信号処理手段１７、画像信号入力手段１８、制御手段２０、記憶手段２１、光源制御手段２２、入力操作手段２３、通信手段２６、電源端子３０、電源部３１等で構成されており、プロジェクター本体部１の筐体の内部、または外面に収容されている。
入力端子カバー４０は、拡張制御手段４１、拡張検出手段４２、拡張記憶手段４３、拡張通信手段４４、拡張ユニット収納部４５、拡張ユニット４６、接続ケーブルＣＡ１等で構成されており、入力端子カバー４０の筐体の内部、または外面に収容されている。
【００２８】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって投写面としてのスクリーンＳＣ等に画像を表示する。
【００２９】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
なお、予備光源４６Ｃも光源１１と同等のものである。
【００３０】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能となっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００３１】
本実施形態では、光源１１として光源ランプ１１ａを用いて投写するプロジェクター１００を例示したが、本発明は光源としてＬＥＤ光源やレーザー光源などを用いて投写するプロジェクターにも適用することができる。
【００３２】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００３３】
画像信号入力手段１８は、複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。
【００３４】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３５】
ＯＳＤ処理手段１６は、制御手段２０の指示に基づいて、投写画像上にメニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３６】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。
なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３７】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３８】
制御手段２０は、ＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１００の動作を統括制御する。つまり、制御手段２０は、記憶手段２１とともにコンピューターとして機能する。
【００３９】
記憶手段２１は、フラッシュメモリーやＦｅＲＡＭ等の書き換え可能な不揮発性のメモリーにより構成されており、プロジェクター１００の動作を制御するための制御プログラムや、プロジェクター１００の動作条件等を規定する各種設定データ等が記憶されている。
【００４０】
光源制御手段２２は、制御手段２０の指示に基づいて、光源１１に対する電力の供給と停止とを制御し、光源１１の点灯、及び消灯を切り替える。
【００４１】
入力操作手段２３は、ユーザーがプロジェクター１００に対して各種指示を行うための複数の操作キーを備えている。入力操作手段２３が備える操作キーとしては、電源のオン・オフを交互に切り替えるための電源キーや、複数の画像入力端子６を切り替えるための入力切替キー、設定メニュー等を重畳表示させるためのメニューキー、設定メニュー等で項目の選択に用いられる方向キー（上下左右に対応する４つの操作キー）、選択された項目を確定させる決定キー、動作の取り消し等を行うための取消キー等がある。
【００４２】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。
この場合、リモートコントローラーは、ユーザーの操作内容に応じた赤外線等の操作信号を発し、リモコン信号受信手段がこれを受信して制御情報として制御手段２０に伝達する。
【００４３】
通信手段２６は、入力端子カバー４０と、拡張通信手段４４を介して通信を行い、各拡張ユニット４６の動作を指示するための制御コマンド、状態の送受信を行う。具体的には、プロジェクター本体部１の動作状態（スタンバイ中、動作中、エラー発生など）を入力端子カバー４０に通知し、拡張報知手段４６Ａに報知させる。また、簡易照明手段４６Ｂの、照明ＬＥＤ４６ｑを点灯または消灯させるためのコマンドを送信する。また、拡張ユニット４６として予備光源４６Ｃが搭載されているかの有無状態を取得する。
【００４４】
電源部３１には、ＡＣ１００Ｖ等の電力が電源端子３０を介して外部から供給される。電源部３１は、例えば、商用電源（交流電源）を所定の電圧の直流電源に変換して、プロジェクター１００の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
また、電源部３１は図示しない電源供給ケーブルを介して入力端子カバー４０にも電力の供給を行う。
【００４５】
拡張制御手段４１は、ＣＰＵや、各種データ等の一時記憶に用いられるＲＡＭ等を備え、拡張記憶手段４３に記憶されている制御プログラム（図示せず）に従って動作することにより入力端子カバー４０の動作を統括制御する。
【００４６】
拡張記憶手段４３は、フラッシュメモリーやＦｅＲＡＭ等の書き換え可能な不揮発性のメモリーにより構成されており、入力端子カバー４０の動作を制御するための制御プログラムや、入力端子カバー４０の動作条件等を規定する各種設定データ、また本実施形態では拡張ユニット収納部４５に収納された拡張ユニット４６の動作を制御する動作情報４３１が記憶されている。
【００４７】
拡張検出手段４２は、拡張ユニット収納部４５近傍に配置され、いずれの拡張ユニット４６が収納されているかを検出し、その検出結果を拡張制御手段４１に通知する。
【００４８】
拡張通信手段４４は、プロジェクター本体部１と通信手段２６を介して通信を行う（通信内容は通信手段２６で説明済み）。
【００４９】
拡張ユニット収納部４５は、図２で示したように複数の拡張ユニット４６を収納可能である。
【００５０】
拡張ユニット４６は、図２で示したように拡張ユニット収納部４５に装着される。拡張ユニット４６の種類としては、図４で示したように、プロジェクター１００の状態を報知する拡張報知手段４６Ａ、プロジェクター１００の近傍を照明する簡易照明手段４６Ｂや、プロジェクター１００の予備光源４６Ｃなどがある。
【００５１】
次に、本実施形態のプロジェクターの動作を図６、および図７のフローチャートを用いて説明する。図６は制御手段２０がプロジェクター１００の状態変化、簡易照明操作、および光源の寿命到達を検出したとき、図７は入力端子カバー４０がプロジェクター本体部１よりコマンドを受信したときの動作を示す。
【００５２】
［プロジェクターの状態変化を検出したとき］
図６に示すように、制御手段２０がプロジェクター１００の状態の変化を検出すると（ステップＳ１０１）、制御手段２０はプロジェクター１００の現在の状態を通知するコマンドを入力端子カバー４０に送信する（ステップＳ１０２）。次にステップＳ１３０に遷移する。
【００５３】
［プロジェクターが簡易照明の操作を検出したとき］
図６に示すように、制御手段２０が、ユーザーから入力操作手段２３への所定操作などにより、簡易照明のオン・オフ操作を検出すると（ステップＳ１１１）、制御手段２０は簡易照明のオン・オフコマンドを入力端子カバー４０に送信する（ステップＳ１１２）。次にステップＳ１３０に遷移する。
【００５４】
［光源の寿命到達を検出したとき］
図６に示すように、制御手段２０が、光源１１が寿命時間に到達したことを検出すると（ステップＳ１２１）、予備光源４６Ｃの確認動作を行う。制御手段２０は予備光源確認コマンドを入力端子カバー４０に送信する（ステップＳ１２２）。次にステップＳ１２３に遷移する。
【００５５】
ステップＳ１２３において制御手段２０は、入力端子カバー４０より、予備光源有無状態を受信し、ステップＳ１２４に遷移する。
【００５６】
ステップＳ１２４において制御手段２０は、ステップＳ１２３において受信した予備光源有無状態に基づき、通知メッセージを画像投写手段１０により投写させ、ステップＳ１３０に遷移する。このときの通知メッセージを図８に示す。図８（ａ）は予備光源４６Ｃがある場合、図８（ｂ）は予備光源４６Ｃがない場合のメッセージを示す。
【００５７】
ステップＳ１３０において本動作フローを終了する。
【００５８】
［入力端子カバーがプロジェクターよりコマンドを受信したとき］
図７に示すように、入力端子カバー４０が制御手段２０よりコマンドを受信すると（ステップＳ２０１）、ステップＳ２０２に遷移する。
【００５９】
ステップＳ２０２において拡張制御手段４１は、ステップＳ２０１において受信したコマンドがプロジェクター１００の状態通知コマンドであるか否かを調べる。状態通知コマンドである場合（ステップＳ２０２：Ｙ）、ステップＳ２０３に遷移する。状態通知コマンドでない場合（ステップＳ２０２；Ｎ）、ステップＳ２０４に遷移する。
【００６０】
ステップＳ２０３において拡張制御手段４１は、ステップＳ２０１において受信したプロジェクター１００の状態に基づき、拡張報知手段４６Ａを制御して報知ＬＥＤ４６ｐに報知させ、ステップＳ２１０に遷移する。
【００６１】
ステップＳ２０４において拡張制御手段４１は、ステップＳ２０１において受信したコマンドが簡易照明のオン・オフコマンドであるか否かを調べる。簡易照明のオン・オフコマンドである場合（ステップＳ２０４：Ｙ）、ステップＳ２０５に遷移する。簡易照明のオン・オフコマンドでない場合（ステップＳ２０４：Ｎ）、ステップＳ２０６に遷移する。
【００６２】
ステップＳ２０５において拡張制御手段４１は、ステップＳ２０１において受信した簡易照明オン・オフコマンドに基づき、簡易照明手段４６Ｂを制御して照明ＬＥＤ４６ｑを点灯、または消灯させ、ステップＳ２１０に遷移する。
【００６３】
ステップＳ２０６において拡張制御手段４１は、ステップＳ２０１において受信したコマンドが予備光源確認コマンドであるか否かを調べる。予備光源確認コマンドである場合（ステップＳ２０６：Ｙ）、ステップＳ２０７に遷移する。予備光源確認コマンドでない場合（ステップＳ２０６：Ｎ）、ステップＳ２１０に遷移する。
【００６４】
ステップＳ２０７において拡張制御手段４１は、拡張ユニット収納部４５に予備光源４６Ｃが収納されているか否かを調べ、予備光源有無状態を制御手段２０に送信し、ステップＳ２１０に遷移する。
【００６５】
ステップＳ２１０において本動作フローを終了する。
【００６６】
以上、説明したように、本実施形態のプロジェクター１００によれば、画像入力端子６を覆うように装着される入力端子カバー４０に、プロジェクター１００の機能を拡張する拡張ユニット４６を備え、プロジェクター本体部１の指示に基づき、拡張ユニット４６の動作を制御するので、プロジェクター本体部１を大きくすることなく、プロジェクター１００の機能を拡張し、天吊設置時に画像入力端子６周辺に埃が堆積するのを防止することが可能となる。
【００６７】
また、入力端子カバー４０内の拡張ユニット収納部４５に拡張ユニット４６を選択的に収納し、収納した拡張ユニット４６を動作させる動作情報４３１を備える。これにより、プロジェクター本体部１に機能を追加することなく、ユーザーの用途に合わせた拡張機能に対応した拡張ユニット４６を入力端子カバー４０に搭載し、プロジェクター本体部１からの指示により動作させることが可能となる。
【００６８】
また拡張ユニット４６の１つである拡張報知手段４６Ａにより、プロジェクター１００の状態をより詳細にユーザーに報知することが可能となる。
また拡張ユニット４６の１つである簡易照明手段４６Ｂにより、プロジェクター１００の近傍を照らすので、プロジェクター１００を天吊設置したときに、プロジェクター１００の下で影になってしまうユーザー周辺を照らすことが可能となる。
またプロジェクター１００の光源１１が寿命時間に到達した場合に拡張ユニット４６として搭載された予備光源４６Ｃにすぐに交換することが可能となる。
【００６９】
また、本実施形態は、以下のように変更してもよい。
（変形例１）
上記実施形態において、入力端子カバー４０がユーザーの操作を受け付ける入力操作手段、プロジェクター本体部１とは別の電源端子、および電源部を備え、受け付けた操作に基づいて、簡易照明手段４６Ｂのオン・オフ操作を行うようにしてもよい。これにより、プロジェクター１００の電源をオンすることなく、入力端子カバー４０のみでプロジェクター１００の近傍を照らすことが可能になる。
【００７０】
（変形例２）
上記実施形態において、拡張検出手段４２が、予備光源４６Ｃが未使用かまたは使用済みかを判定する機能を備え、その判定結果を制御手段２０に通知するようにしてもよい。これにより、ユーザーが誤って古い光源１１を予備光源４６Ｃとして入力端子カバー４０の拡張ユニット収納部４５に収納してしまった場合にユーザーに警告することが可能になる。
【符号の説明】
【００７１】
１…プロジェクター本体部、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２２…光源制御手段、２３…入力操作手段、２６…通信手段、３０…電源端子、３１…電源部、４０…入力端子カバー、４０Ａ…ケーブルガイド部、４１…拡張制御手段、４２…拡張検出手段、４３…拡張記憶手段、４４…拡張通信手段、４５…拡張ユニット収納部、４６…拡張ユニット、４６Ａ…拡張報知手段、４６Ｂ…簡易照明手段、４６Ｃ…予備光源、４６ｐ…報知ＬＥＤ、４６ｑ…照明ＬＥＤ、１００…プロジェクター、ＣＡ１…接続ケーブル、ＣＡ２…信号ケーブル、Ｔ１…天吊装置。
【図１】
2014102314.tif 000003
【図２】
2014102314.tif 000004
【図３】
2014102314.tif 000005
【図４】
2014102314.tif 000006
【図５】
2014102314.tif 000007
【図６】
2014102314.tif 000008
【図７】
2014102314.tif 000009
【図８】
2014102314.tif 000010